(57)【要約】【課題】ハーネスに関する不具合を防止すること。【解決手段】一実施形態に係る電子機器は、第１ハーネス及び第２ハーネスと、筐体とを備える。第１ハーネス及び第２ハーネスは、複数のモジュールを電気的に接続する。筐体は、上記第１ハーネス及び上記第２ハーネスが通る通路を形成する壁部と、リブと、を内部に有する。上記リブは、上記壁部とともに上記第１ハーネスの第１方向への移動を規制する第１面と、上記第１方向と交わる第２方向への上記第２ハーネスの移動を上記壁部及び上記第１ハーネスの外表面とともに規制する第２面と、を有する。【選択図】    図１３
2015222480.tif 000002
【特許請求の範囲】
【請求項１】
複数のモジュールを電気的に接続する第１ハーネス及び第２ハーネスと、
前記第１ハーネス及び前記第２ハーネスが通る通路を形成する壁部と、リブと、を内部に有する筐体と、
を備え、
前記リブは、前記壁部とともに前記第１ハーネスの第１方向への移動を規制する第１面と、前記第１方向と交わる第２方向への前記第２ハーネスの移動を前記壁部及び前記第１ハーネスの外表面とともに規制する第２面と、を有する、
電子機器。
【請求項２】
前記リブは、前記筐体の内面から前記第１方向に突出する第１部分及び第２部分を有し、
前記第１面は、前記第１部分及び前記第２部分の前記第１方向における先端面であり、
前記第２面は、前記第１部分の第１側面である、
請求項１に記載の電子機器。
【請求項３】
前記第２部分は、前記第２方向に沿って延びる第２側面を有し、
前記第１側面及び前記第２側面は、円弧状に接続されている、
請求項２に記載の電子機器。
【請求項４】
前記第１部分及び前記第２部分の前記第１方向における先端面は、円弧状に面取りされている、
請求項２に記載の電子機器。
【請求項５】
前記筐体は、前記複数のモジュールの少なくとも１つが固定されるカバーと、前記リブが設けられるとともに前記カバーに取り付けられるマスクと、を含む、
請求項１に記載の電子機器。
【請求項６】
前記マスクは、前記第１方向に突出するとともに前記マスクを前記カバーに取り付けるための突起が設けられた構造体を備え、
前記リブは、前記構造体と一体的に形成されている、
請求項５に記載の電子機器。
【請求項７】
第１モジュールと第２モジュールとを電気的に接続する第１ハーネスと、
第３モジュールと第４モジュールとを電気的に接続する第２ハーネスと、
前記第１モジュール及び前記第３モジュールを収容するとともに、前記第１ハーネス及び前記第２ハーネスが通る通路を形成する壁部と、リブと、を内部に有する第１筐体と、
前記第２モジュール及び前記第４モジュールを収容する第２筐体と、
を備え、
前記リブは、前記壁部とともに前記第１ハーネスの第１方向への移動を規制する第１面と、前記第１方向と交わる第２方向への前記第２ハーネスの移動を前記壁部及び前記第１ハーネスの外表面とともに規制する第２面と、を有する、
電子機器。
【請求項８】
前記第１筐体は、第１開口部を有し、
前記第２筐体は、第２開口部を有し、
前記第１開口部及び前記第２開口部を通る軸を介して、前記第１筐体と前記第２筐体とを回動可能に連結するヒンジをさらに備え、
前記第１ハーネス及び前記第２ハーネスの少なくとも一方は、前記第１開口部及び前記第２開口部を通る、
請求項７に記載の電子機器。
【請求項９】
前記第１モジュール及び前記第３モジュールのいずれか一方は、タッチパネルを有する表示装置である、
請求項７に記載の電子機器。
【請求項１０】
第１ハーネス及び第２ハーネスを通す通路を形成する壁部と、
前記壁部とともに前記第１ハーネスの第１方向への移動を規制する第１面と、前記第１方向と交わる第２方向への前記第２ハーネスの移動を前記壁部及び前記第１ハーネスの外表面とともに規制する第２面と、を有するリブと、
を備えるハーネスガイド。
【発明の詳細な説明】
【技術分野】
【０００１】
本発明の実施形態は、電子機器及びハーネスガイドに関する。
【背景技術】
【０００２】
複数のモジュールを電気的に接続するハーネスを備えた電子機器が知られている。
【先行技術文献】
【特許文献】
【０００３】
【特許文献１】特開２０１２−１６８９８５号公報
【特許文献２】特開２００１−７５６２号公報
【特許文献３】特開２０００−２１１４４５号公報
【発明の概要】
【発明が解決しようとする課題】
【０００４】
ハーネスの断線や外被の損傷などの不具合を防止することが望まれている。
【０００５】
本発明の目的は、ハーネスに関する不具合を防止することが可能な電子機器及びハーネスガイドを提供することである。
【課題を解決するための手段】
【０００６】
一実施形態に係る電子機器は、第１ハーネス及び第２ハーネスと、筐体とを備える。第１ハーネス及び第２ハーネスは、複数のモジュールを電気的に接続する。筐体は、上記第１ハーネス及び上記第２ハーネスが通る通路を形成する壁部と、リブと、を内部に有する。上記リブは、上記壁部とともに上記第１ハーネスの第１方向への移動を規制する第１面と、上記第１方向と交わる第２方向への上記第２ハーネスの移動を上記壁部及び上記第１ハーネスの外表面とともに規制する第２面と、を有する。
【図面の簡単な説明】
【０００７】
【図１】図１は、一実施形態に係る電子機器の斜視図である。
【図２】図２は、上記電子機器が備える第１筐体の内部構造の一例を示す平面図である。
【図３】図３は、上記電子機器が備える第１筐体及びヒンジの構造の一例を示す分解斜視図である。
【図４】図４は、上記第１筺体を構成するマスクの内面の一例を示す斜視図である。
【図５】図５は、上記マスクに設けられるガイドリブ及び壁リブの一部を模式的に示す正面図である。
【図６】図６は、図５におけるVI-VI線に沿った断面を概略的に示す図である。
【図７】図７は、図５におけるVII-VII線に沿った断面を概略的に示す図である。
【図８】図８は、上記第１筐体の一部を概略的に示す正面図である。
【図９】図９は、図８におけるIX-IX線に沿った断面の一部を概略的に示す図である。
【図１０】図１０は、図８におけるX-X線に沿った断面の一部を概略的に示す図である。
【図１１】図１１は、上記電子機器が備える第２筐体においてヒンジが取り付けられる位置の近傍を概略的に示す斜視図である。
【図１２】図１２は、ガイドリブが設けられていない通路と、この通路を通るハーネスとを概略的に示す図である。
【図１３】図１３は、ガイドリブが設けられた通路と、この通路を通るハーネスとを概略的に示す図である。
【発明を実施するための形態】
【０００８】
一実施形態につき、図面を参照しながら説明する。  
なお、図面においては、説明をより明確にするため、各要素の幅、厚さ、形状等を実際の態様に比べて模式的に表す場合があるが、発明の解釈を限定するものではない。同一の要素には同一の符号を付して説明を省略することがある。
【０００９】
図１は、本実施形態に係る電子機器１の斜視図である。この電子機器１は、例えばノートブック型のポータブルコンピュータ（ノートＰＣ）である。電子機器１は、第１ユニット２と、第２ユニット３と、ヒンジ４ａ、４ｂとを備える。
【００１０】
第１ユニット２は、第１筐体２０を備える。第１ユニット２は、例えば、第１筐体２０に表示装置２１を収容した表示ユニットである。表示装置２１は、画像を表示するための多数の表示素子を有する表示パネル２２と、この表示パネル２２上に積層配置されたタッチパネル２３（タッチセンサ、タッチスクリーン）とを備える。表示パネル２２としては、例えば、液晶表示装置或いは有機エレクトロルミネッセンス表示装置などの様々なタイプを適用することができる。タッチパネル２３としては、例えば、静電容量方式や抵抗膜方式などの様々なタイプを適用することができる。第１ユニット２は、更に、カメラモジュール２４（カメラ、撮像装置）を備える。カメラモジュール２４は、例えば、ＣＣＤ（Charge Coupled Device）などの撮像素子及びこの撮像素子に集光するレンズなどを備える。
【００１１】
第２ユニット３は、第２筐体３０を備える。第２ユニット３は、例えば、第２筐体３０にメインボードとしての回路基板３１を収容した本体ユニットである。第２筐体３０の上面３０ａには、例えば、入力装置としてのキーボード３２、タッチパッド３３、及びクリックボタン３４などが設けられている。但し、第２ユニット３は、これらの入力装置に代えて、或いはこれらの入力装置とともに、タッチパネルなどの他種の入力装置を備えてもよい。
【００１２】
ヒンジ４ａは、第１ユニット２及び第２ユニット３のそれぞれの端部（図１における左側の端部）を回動可能（開閉可能）に連結する。ヒンジ４ｂは、第１ユニット２及び第２ユニット３のそれぞれの端部（図１における右側の端部）を回動可能（開閉可能）に連結する。ヒンジ４ａ，４ｂにより、第１筐体２０と第２筐体３０とが重ねられる閉塞位置と、第１筐体２０と第２筐体３０とが開かれる開放位置（図１の位置）との間で、第１筐体２０が第２筐体３０に対して回動可能である。
【００１３】
第１筐体２０及び第２筐体３０は、例えばプラスチックなどの合成樹脂によって、扁平な箱状に形成されている。第１筐体２０は、カバー２５と、マスク２６とを含む。カバー２５は、表示装置２１の背面側を覆い、上記の閉塞位置及び開放位置の双方において外部に露出する。マスク２６は、表示装置２１の画面が露出する開口部を有している。マスク２６は、上記の閉塞位置において第２筐体３０の上面３０ａと向い合い、上記の開放位置において表示装置２１とともに外部に露出する。本実施形態では、カバー２５とマスク２６とが組み合わされることで、第１筐体２０が構成されている。
【００１４】
第１筐体２０は、さらに、ヒンジカバー４０ａと、ヒンジカバー４０ｂとを含む。ヒンジカバー４０ａは、カバー２５、マスク２６、及び第２筐体３０とともにヒンジ４ａを覆い隠す。ヒンジカバー４０ｂは、カバー２５、マスク２６、及び第２筐体３０とともにヒンジ４ｂを覆い隠す。
【００１５】
次に、第１筐体２０の構造の一例について詳しく説明する。  
図２は、第１筐体２０の内部構造の一例を示す平面図である。この平面図は、第１ユニット２において、マスク２６を取り外した状態に相当する。カバー２５は、略矩形状の底面２５ａと、この底面２５ａの４辺に設けられた周壁２５ｂ，２５ｃ，２５ｄ，２５ｅとを有する。図２において、周壁２５ｂ，２５ｃ，２５ｄ，２５ｅは、ぞれぞれ、底面２５ａの上側、下側、左側、右側の縁部に沿って直線状に延びている。
【００１６】
周壁２５ｃと周壁２５ｄとが成す角部において破線枠にて囲った領域は、ヒンジ４ａの取り付け位置Ａを示す。周壁２５ｃと周壁２５ｅとが成す角部において破線枠にて囲った領域は、ヒンジ４ｂの取り付け位置Ｂを示す。取り付け位置Ａ，Ｂは、それぞれ、ヒンジカバー４０ａ，４０ｂにて覆われる位置でもある。取り付け位置Ａ，Ｂに配置される要素については、図３の説明にて後述する。
【００１７】
第１筐体２０は、上述した表示装置２１及びカメラモジュール２４に加えて、第１アンテナＡ１と、第２アンテナＡ２と、第３アンテナＡ３とを、表示装置２１と周壁２５ｂとの間に収容している。表示装置２１、カメラモジュール２４、及び各アンテナＡ１，Ａ２，Ａ３は、例えばカバー２５の底面２５ａに適宜の方法によって固定されている。
【００１８】
各アンテナＡ１，Ａ２，Ａ３は、例えば、それぞれ無線ＬＡＮ（Local Area Network）、無線ＷＡＮ（Wide Area Network）、ＷｉＭＡＸ［Worldwide Interoperability for Microwave Access （登録商標）］、及びＢｌｕｅｔｏｏｔｈ（登録商標）などのいずれかに準拠した通信を実行するためのアンテナである。但し、各アンテナＡ１，Ａ２，Ａ３は、その他の通信規格に準拠した通信を実行するためのものであってもよい。また、電子機器１は、各アンテナＡ１，Ａ２，Ａ３のいずれかを備えなくてもよいし、各アンテナＡ１，Ａ２，Ａ３の少なくとも一部が第２筐体３０に設けられてもよい。
【００１９】
第１筐体２０は、さらに、第１ハーネス５１と、第２ハーネス５２と、第３ハーネス５３と、第４ハーネス５４と、第５ハーネス５５とを収容している。各ハーネス５１，５２，５３，５４，５５は、複数のモジュールを電気的に接続するための導電線を有する。この導電線は、例えば絶縁性の外被にて覆われている。各ハーネス５１，５２，５３，５４，５５は、上記のように外被にて覆われた導電線を複数束ねたものであってもよい。各ハーネス５１，５２，５３，５４，５５は、ワイヤーハーネス、ケーブルハーネス、或いはケーブルなどとも呼ばれる。各ハーネス５１，５２，５３，５４，５５の一方の端部（第１端部）は第１筐体２０の内部に位置し、他方の端部（第２端部）は第２筐体３０の内部に位置する。
【００２０】
第１ハーネス５１の第１端部は、第１筐体２０の内部において、第１モジュールに接続されている。第１モジュールは、例えばカメラモジュール２４である。第１ハーネス５１は、周壁２５ｄに沿ってカバー２５の複数の位置に設けられた突起部６０及び周壁２５ｃに沿ってカバー２５の複数の位置に設けられた突起部６１などに案内されて、取り付け位置Ａを通って取り付け位置Ｂに延びる。さらに、第１ハーネス５１は、取り付け位置Ｂからヒンジカバー４０ｂを介して第２筐体３０の内部に延びる。第１ハーネス５１の第２端部は、第２筐体３０の内部において、第２モジュールに接続されている。第２モジュールは、例えば回路基板３１である。
【００２１】
第２ハーネス５２の第１端部は、第１筐体２０の内部において、第３モジュールに接続されている。第３モジュールは、例えば表示装置２１である。図２の例において、第２ハーネス５２は、コネクタ２１ａを介して表示装置２１に接続されている。第２ハーネス５２は、上記の突起部６１などに案内されて取り付け位置Ａに延び、ヒンジカバー４０ａを介して第２筐体３０の内部に延びる。第２ハーネス５２の第２端部は、第２筐体３０の内部において、第４モジュールに接続されている。第４モジュールは、例えば回路基板３１である。
【００２２】
第３ハーネス５３の第１端部は、第１筐体２０の内部において、第５モジュールに接続されている。第５モジュールは、例えば第１アンテナＡ１である。第３ハーネス５３は、上記の突起部６１などに案内されて取り付け位置Ａに延び、ヒンジカバー４０ａを介して第２筐体３０の内部に延びる。第３ハーネス５３の第２端部は、第２筐体３０の内部において、第６モジュールに接続されている。第６モジュールは、例えば回路基板３１である。
【００２３】
第４ハーネス５４の第１端部は、第１筐体２０の内部において、第７モジュールに接続されている。第７モジュールは、例えば第２アンテナＡ２である。第５ハーネス５５の第１端部は、第１筐体２０の内部において、第８モジュールに接続されている。第８モジュールは、例えば第３アンテナＡ３である。第４ハーネス５４及び第５ハーネス５５は、周壁２５ｅに沿ってカバー２５の複数の位置に設けられた突起部６２などに案内されて取り付け位置Ｂに延び、ヒンジカバー４０ｂを介して第２筐体３０の内部に延びる。第４ハーネス５４の第２端部は、第２筐体３０の内部において、第９モジュールに接続されている。第５ハーネス５５の第２端部は、第２筐体３０の内部において、第１０モジュールに接続されている。第９モジュール及び第１０モジュールは、例えば回路基板３１である。
【００２４】
第２モジュール、第４モジュール、第６モジュール、第９モジュール及び第１０モジュールは、必ずしも回路基板３１のように同一のモジュールである必要はない。これら各モジュールは、それぞれ異なるモジュールであってもよい。
【００２５】
なお、周壁２５ｂ及び周壁２５ｃには、複数の突起部６３が設けられている。各突起部６３は、マスク２６に設けられた複数の爪部７１（図４参照）とそれぞれ係合する。この係合により、カバー２５に対してマスク２６が取り付けられる。
【００２６】
続いて、第１筐体２０及びヒンジ４ａ，４ｂの詳細な構造につき、図３及び図４を用いて説明する。  
図３は、第１筐体２０及びヒンジ４ａの構造の一例を示す分解斜視図である。なお、図３には、ヒンジ４ａの構造と、取り付け位置Ａの近傍における第１筐体２０の構造とを示している。
【００２７】
取り付け位置Ａの近傍において、カバー２５の底面２５ａには、第１係合部６４，６５が設けられている。また、取り付け位置Ａの近傍において、カバー２５の周壁２５ｄには、第１係合部６６，６７が設けられている。さらに、カバー２５の底面２５ａには、第１係合部６４〜６７にて囲われる範囲内において、一対のピン６８と、一対の雌ねじ６９（ボス）とが設けられている。
【００２８】
第１ハーネス５１及び第２ハーネス５２は、第１係合部６４，６５の近傍において、インシュレータＩによってカバー２５の底面２５ａに固定されている。インシュレータＩは、例えばインシュレーティングテープである。なお、第１ハーネス５１及び第２ハーネス５２は、第１係合部６４，６５の近傍だけでなく、第１筺体２０内の複数の位置において底面２５ａなどにインシュレータＩにより固定されている。また、第３ハーネス５３、第４ハーネス５４、及び第５ハーネス５５も、第１筺体２０内の複数の位置において底面２５ａなどにインシュレータＩにより固定されている。
【００２９】
マスク２６は、第１部分２７と、第２部分２８と、第３部分２９とを含む。第１部分２７は、表示装置２１の周縁部をカバー２５とともに狭持する額縁形状を有する。第２部分２８は、取り付け位置Ａ，Ｂに対応する部分を除き、カバー２５の周壁２５ｃの方向に向けて第１部分２７から延びている。第３部分２９は、第２部分２８の長手方向（例えばヒンジ軸４５と平行な方向）の端部において、第２部分２８の外面２８ａから第２部分２８の厚さ方向に向けて延びている。
【００３０】
ヒンジ４ａは、第１固定部４２（第１固定板金）と、第２固定部４３（第２固定板金）と、第３固定部４４（第３固定板金）と、ヒンジ軸４５とを備える。ヒンジ軸４５の一端は、第１固定部４２に対して固定的に接続されている。第２固定部４３及び第３固定部４４は、ヒンジ軸４５に対して回動可能に接続されている。第１固定部４２は、カバー２５の一対のピン６８及び一対の雌ねじ６９にそれぞれ対応する４つの孔４６（貫通孔）を有している。なお、図３においては、これら４つの孔４６のうちの３つが示されている。第２固定部４３及び第３固定部４４は、ヒンジ４ａを第２筐体３０に取り付けるための孔４７を有している。
【００３１】
ヒンジ４ａは、例えば、マスク２６がカバー２５に取り付けられた状態で、カバー２５に対して固定される。具体的には、ヒンジ４ａは、第１固定部４２の４つの孔４６のうちの２つに一対のピン６８を挿通し、さらに残りの２つの孔４６とワッシャ８１とを介して雄ねじ８０を各雌ねじ６９にねじ込むことで、カバー２５に対して固定される。
【００３２】
ヒンジカバー４０ａは、カバー２５側およびマスク２６の第３部分２９側が開放しており、ヒンジ４ａの第１固定部４２とヒンジ軸４５の一部とを収容可能な空間を内部に有している。ヒンジカバー４０ａの内壁には、第１係合部６４と係合する第２係合部４８と、第１係合部６５と係合する第２係合部４９とが設けられている。なお、図３においては図示を省略しているが、ヒンジカバー４０ａの内壁には、第１係合部６６，６７とそれぞれ係合する第２係合部も設けられている。各第２係合部（４８，４９及び不図示の２つ）は例えばフックであり、各第１係合部６４〜６７は例えばこれらのフックを受ける爪部である。
【００３３】
ヒンジカバー４０ａは、例えば、マスク２６及びヒンジ４ａがカバー２５に取り付けられた状態で、各第２係合部をそれぞれ第１係合部６４〜６７に係合させることにより、カバー２５に対して固定される。
【００３４】
なお、カバー２５とマスク２６の取り付け位置Ｂの近傍、ヒンジ４ｂ、及びヒンジカバー４０ｂの構造は、図３に示した構造と同様であるため、説明を省略する。
【００３５】
図４は、マスク２６の内面（カバー２５と対向する側の面）の一例を示す斜視図である。ここでは、図３に示した取り付け位置Ａの近傍におけるマスク２６の内面を示している。
【００３６】
図示したように、上述した外面２８ａの反対側にある第２部分２８の内面２８ｂには、第２部分２８の長手方向に沿って延びる壁リブ７０（壁、突起、構造体）が設けられている。壁リブ７０には、第１部分２７と反対側に向けて突出する爪部７１（突起）が設けられている。なお、図４においてはこの爪部７１を１つのみ示しているが、壁リブ７０にはカバー２５の周壁２５ｃに設けられた各突起部６３に対応する位置のそれぞれに爪部７１が設けられている。また、第２部分２８が設けられていない側の第１部分２７の縁部付近にも壁リブが設けられており、この壁リブにはカバー２５の周壁２５ｂに設けられた各突起部６３に対応する位置のそれぞれに爪部７１が設けられている。
【００３７】
各爪部７１は、それぞれ、カバー２５の周壁２５ｂ或いは周壁２５ｃの対応する位置に設けられた突起部６３と係合する。この係合により、マスク２６がカバー２５に取り付けられる。
【００３８】
壁リブ７０の第３部分２９側の端部には、Ｌ字型に屈曲したガイドリブ７２が設けられている。ガイドリブ７２は、第１部分７３と、第２部分７４とを有している。第１部分７３と接続されていない側の第２部分７４の端部は、壁リブ７０と接続されている。壁リブ７０及びガイドリブ７２は、例えば、マスク２６の第２部分２８とともに、合成樹脂によって一体的に形成されている。  
ガイドリブ７２の詳細な形状につき、図５、図６及び図７を参照して説明する。  
図５は、ガイドリブ７２及び壁リブ７０の一部を模式的に示す正面図である。図６は、図５におけるVI-VI線に沿った断面を概略的に示す図である。図７は、図５におけるVII-VII線に沿った断面を概略的に示す図である。ここで、壁リブ７０、ガイドリブ７２の第１部分７３、及び第２部分７４がマスク２６の内面（第２部分２８の内面２８ｂ）から突出する方向を第１方向Ｄ１と定義する。また、マスク２６の第２部分２８の短手方向及び長手方向を、それぞれ第２方向Ｄ２及び第３方向Ｄ３と定義する。第１方向Ｄ１は、例えば第１筐体２０の厚さ方向、或いは内面２８ｂの法線方向と一致する。第２方向Ｄ２は、例えば表示装置２１の表示面の上下方向、或いは内面２８ｂと平行な面内においてヒンジ軸４５と垂直を成す方向と一致する。第３方向Ｄ３は、例えば表示装置２１の表示面の左右方向、或いはヒンジ軸４５と平行な方向と一致する。例えば、第１方向Ｄ１、第２方向Ｄ２、及び第３方向Ｄ３は、それぞれが垂直に交わる。
【００３９】
図５に示すように、ガイドリブ７２の第１部分７３は、第３方向Ｄ３に沿って延びる。壁リブ７０も、部分的に屈曲しながら第３方向Ｄ３に沿って延びる。ガイドリブ７２の第２部分７４は、第２方向Ｄ２に沿って延びる。以下の説明では、壁リブ７０の反対側に位置する第１部分７３の側面を第１側面７３ａと呼び、この第１側面７３ａと繋がる第２部分７４の側面を第２側面７４ａと呼ぶ。第１側面７３ａは、第３方向Ｄ３に沿って延びる。第２側面７４ａは、第２方向Ｄ２に沿って延びる。
【００４０】
また、第１部分７３の第１方向Ｄ１における先端面を第１先端面７３ｂと呼び、第２部分７３の第１方向Ｄ１における先端面を第２先端面７４ｂと呼ぶ。なお、第１先端面７３ｂ及び第２先端面７４ｂを併せて第１面Ｆ１と呼ぶこともある。また、第１側面７３ａを第２面Ｆ２と呼ぶこともある。
【００４１】
図５に示すように、第１側面７３ａと第２側面７４ａの接続部分は、半径ｒ１の円弧状に屈曲している。これにより、第１側面７３ａと第２側面７４ａとは、滑らかに接続される。
【００４２】
図６に示すように、第１先端面７３ｂは、半径ｒ２の円弧状に面取りされている。また、図７に示すように、第２先端面７４ｂは、半径ｒ３の円弧状に面取りされている。半径ｒ２，ｒ３は、例えば半径ｒ１よりも小さい。半径ｒ２，ｒ３は、例えば略同じ長さである。なお、第１先端面７３ｂと第２先端面７４ｂとの接続部分も、半径ｒ２、半径ｒ３、或いはこれら半径ｒ２，ｒ３と異なる半径にて円弧状に面取りされている。すなわち、第１面Ｆ１は、全領域に亘って円弧状に面取りされた滑らかな曲面である。
【００４３】
なお、マスク２６の取り付け位置Ｂの近傍にも、図４〜図７に示す構造と同様の構造を有する壁リブ７０、爪部７１、及びガイドリブ７２が設けられている。
【００４４】
続いて、第１筐体２０に第２筐体３０がヒンジ４ａ，４ｂを介して取り付けられた状態におけるハーネスの引き回しの一例につき、図８、図９、図１０及び図１１を参照して具体的に説明する。
【００４５】
図８は、第１筐体２０の一部を概略的に示す正面図である。図９は、図８におけるIX-IX線に沿った断面の一部を概略的に示す図である。図１０は、図８におけるX-X線に沿った断面の一部を概略的に示す図である。図１１は、第２筐体３０においてヒンジ４ａが取り付けられる位置の近傍を概略的に示す斜視図である。
【００４６】
なお、図８においては、取り付け位置Ａの近傍においてマスク２６を破断するとともに、ヒンジカバー４０ａの図示を省略している。ヒンジ４ａについては、ヒンジ軸４５の一部、第２固定部４３、及び第３固定部４４の図示を省略している。説明の便宜のために、マスク２６が破断された領域においても、壁リブ７０の一部、爪部７１、及びガイドリブ７２を示している。また、インシュレータＩの図示を省略している。
【００４７】
図８乃至図１０に示すように、マスク２６の第２部分２８の取り付け位置Ａ側の端部には、第１ハーネス５１及び第２ハーネス５２を通す通路Ｐが形成される。本実施形態において、この通路Ｐは、カバー２５の底面２５ａ、マスク２６の内面（第２部分２８の内面２８ｂ）、及び第１係合部６４，６５の側面にて構成される壁部Ｗによって形成されている。但しこの形態に限定されず、壁部Ｗは、第１筐体２０の内部に設けられた他の要素によって構成されてもよい。このような要素は、第１筺体２０と一体的に形成されていてもよいし、第１筺体２０とは別体のものが第１筺体２０に固定されていてもよい。
【００４８】
本実施形態において、壁部Ｗ及びガイドリブ７２は、ハーネスガイド１００を構成する。このハーネスガイド１００は、例えば突起部６０、６１、６２、ヒンジ４ａ，４ｂ、第２筐体３０、第２筐体３０の内部における構造など、各ハーネス５１〜５５と接する他の要素を含むものとして定義されてもよい。
【００４９】
図８乃至図１０に示すように、マスク２６の第３部分２９とヒンジカバー４０ａとの間には、ヒンジ軸４５を通すための第１開口部ＡＰ１が形成される。また、図１１に示すように、第２筐体３０には、ヒンジ軸４５を通すための第２開口部ＡＰ２が形成されている。マスク２６の第３部分２９とヒンジカバー４０ａとの間には、ヒンジ軸４５を通すための第１開口部ＡＰ１が形成される。なお、取り付け位置Ｂ側においても同様に、第１開口部ＡＰ１及び第２開口部ＡＰ２が形成されている。
【００５０】
図８に示すように、第１ハーネス５１は、カバー２５の周壁２５ｄ寄りの位置において、第２方向Ｄ２と概ね一致する方向に延びる。第１ハーネス５１は、取り付け位置Ａにおいて屈曲し、通路Ｐを通る。カバー２５の周壁２５ｃ寄りの位置において、第１ハーネス５１は、第３方向Ｄ３と概ね一致する方向に延びる。
【００５１】
第２ハーネス５２は、カバー２５の周壁２５ｃ寄りの位置において、第１ハーネス５１と並んで延びる。第２ハーネス５２は、取り付け位置Ａにおいて屈曲し、ヒンジ軸４５に掛けられ、第１開口部ＡＰ１から第１筐体２０の外部に延びる。
【００５２】
第３ハーネス５３は、カバー２５の周壁２５ｄ寄りの位置において、第１ハーネス５１と並んで延びる。第３ハーネス５３は、取り付け位置Ａにおいて屈曲し、第２ハーネス５２と同じくヒンジ軸４５に掛けられ、第１開口部ＡＰ１から第１筐体２０の外部に延びる。
【００５３】
図１１に示すように、第１筺体２０の外部に延びた第２ハーネス５２及び第３ハーネス５３は、第２開口部ＡＰ２を通って第２筐体３０の内部に入り、上述の通り回路基板３１などのモジュールに接続されている。
【００５４】
第１ハーネス５１、第４ハーネス５４及び第５ハーネス５５は、取り付け位置Ｂ側の第１開口部ＡＰ１及び第２開口部ＡＰ２を通って第２筐体３０の内部に延び、回路基板３１などのモジュールに接続されている。
【００５５】
なお、本実施形態では第１ハーネス５１と第２ハーネス５２が異なる第１開口部ＡＰ１及び第２開口部ＡＰ２を通る場合を例示しているが、これらハーネスが通路Ｐを通りかつ同一の第１開口部ＡＰ１及び第２開口部ＡＰ２を通るように引き回しを変更してもよい。
【００５６】
図９に示すように、ガイドリブ７２の第１部分７３及び第２部分７４の一部は、通路Ｐに突出して、通路Ｐの一部を塞いでいる。ここで、図９に示す断面（第１方向Ｄ１及び第２方向Ｄ２と平行な面）において、通路Ｐの第１方向Ｄ１における高さ（マスク２６の第２部分２８の内面２８ｂからカバー２５の底面２５ａまでの距離）をｈ１、通路Ｐの第２方向Ｄ２における幅（第１係合部６４，６５の側面間の距離）をｗ１と定義する。また、ガイドリブ７２の第１面Ｆ１からカバー２５の底面２５ａまでの高さをｈ２、ガイドリブ７２の第２面Ｆ２から第１係合部６４の側面までの幅をｗ２、第１ハーネス５１の直径をＲ１、第２ハーネス５２の直径をＲ２と定義する。図９の例において、直径Ｒ１は直径Ｒ２よりも小さい（Ｒ１＜Ｒ２）。
【００５７】
図９の例において、高さｈ１は直径Ｒ１及び直径Ｒ２の和よりも小さい（ｈ１＜Ｒ１＋Ｒ２）。したがって、第１ハーネス５１及び第２ハーネス５２は、第１方向Ｄ１に並べて通路Ｐを通すことができない。また、幅ｗ１は直径Ｒ１及び直径Ｒ２の和よりも小さい（ｗ１＜Ｒ１＋Ｒ２）。したがって、第１ハーネス５１及び第２ハーネス５２は、第２方向Ｄ２に並べて通路Ｐを通すことができない。
【００５８】
このような高さｈ１、幅ｗ１、直径Ｒ１，Ｒ２の関係から、第１ハーネス５１及び第２ハーネス５２は、図９に示すように、第１方向Ｄ１及び第２方向Ｄ２からずれた方向に並んで通路Ｐを通る。具体的には、第１ハーネス５１は第１面Ｆ１とカバー２５の底面２５ａとの間を通り、第２ハーネス５２は第２面Ｆ２と第１係合部６４の側面との間を通る。
【００５９】
図９の例において、高さｈ２は、直径Ｒ１よりも大きい（Ｒ１＜ｈ２）。すなわち、第１ハーネス５１は、第１面Ｆ１とカバー２５の底面２５ａとの間に遊びを有して収まっている。また、幅ｗ２は、直径Ｒ２よりも大きい（Ｒ２＜ｗ２）。すなわち、第２ハーネス５２は、第２面Ｆ２と第１係合部６４の側面との間で遊びを有して収まっている。
【００６０】
ここで、電子機器１の組立手順の一例について説明する。  
先ず、各ハーネス５１〜５５の第１端部がそれぞれ接続されたモジュール、例えばカメラモジュール２４、表示装置２１及びアンテナＡ１〜Ａ３を、図２に示すカバー２５の各位置に取り付ける。続いて、第１ハーネス５１、第３ハーネス５３、第４ハーネス５４、及び第５ハーネス５５を図２に示すように表示装置２１の周囲で引き回す。このとき、第１ハーネス５１は、第１係合部６４，６５の間において、第１係合部６５側に寄せる。各ハーネス５１，５３〜５５は、適宜の位置でインシュレータＩにより底面２５ａに固定する。
【００６１】
少なくとも第１ハーネス５１をインシュレータＩにて固定した後、第２ハーネス５２を取り付け位置Ａに引き回す。このとき、第２ハーネス５２は、第１係合部６４，６５の間において第１係合部６４側に寄せ、適宜の位置でインシュレータＩにより底面２５ａに固定する。通路Ｐの幅ｗ１が第１ハーネス５１及び第２ハーネス５２の直径Ｒ１，Ｒ２の和よりも小さいために、第１係合部６４，６５の間においては第２ハーネス５２の一部が第１ハーネス５１の上に乗った状態となる。
【００６２】
続いて、マスク２６をカバー２５に取り付ける。これにより通路Ｐが形成される。この通路Ｐにおいて、ガイドリブ７２、第１ハーネス５１及び第２ハーネス５２の位置関係は、図９に示す通りとなる。
【００６３】
その後、ヒンジ４ａ，４ｂの第１固定部４２をそれぞれ取り付け位置Ａ，Ｂに取り付けるとともに、ヒンジ４ａ，４ｂの第２固定部４３及び第３固定部４４をそれぞれ第２筐体３０内の所定位置に取り付ける。第２ハーネス５２及び第３ハーネス５３は、取り付け位置Ａを介して第２筐体３０の内部に引き回し、第２端部を回路基板３１などに接続する。第１ハーネス５１、第４ハーネス５４及び第５ハーネス５５は、取り付け位置Ｂを介して第２筐体３０の内部に引き回し、第２端部を回路基板３１などに接続する。最後に、ヒンジカバー４０ａ，４０ｂをカバー２５に取り付けて電子機器１が完成する。なお、以上説明した組立手順は、適宜に順番を変更して実施することができる。
【００６４】
次に、ハーネスガイド１００の作用の一例につき、図１２及び図１３を用いて説明する。  
図１２は、ガイドリブ７２が設けられていない通路Ｐと、この通路Ｐを通る第１ハーネス５１及び第２ハーネス５２とを概略的に示す図である。一方、図１３は、ガイドリブ７２が設けられた通路Ｐと、この通路Ｐを通る第１ハーネス５１及び第２ハーネス５２とを概略的に示す図である。図１２及び図１３は、いずれも図９と同一の断面（第１方向Ｄ１及び第２方向Ｄ２と平行な面）を示している。
【００６５】
ヒンジ４ａ，４ｂにより第１筐体２０が第２筐体３０に対して回動すると、通路Ｐにおいて第１ハーネス５１及び第２ハーネス５２が動くことがある。このような動きは、例えば、第１ハーネス５１及び第２ハーネス５２に加わる張力が変化すること、第１ハーネス５１及び第２ハーネス５２が捩れること、或いはこの捩じれが解消することなどに起因して生じ得る。また、このような動きにより、通路Ｐの近傍にて第１ハーネス５１及び第２ハーネス５２を固定するインシュレータＩが剥がれることもあり得る。インシュレータＩが剥がれると、第１ハーネス５１及び第２ハーネス５２は動き易くなる。
【００６６】
ガイドリブ７２が設けられていない場合には、図１２に示すように第１ハーネス５１及び第２ハーネス５２が大きく余裕を持って通路Ｐを通る。そのため、第１筐体２０の回動時などには、第１ハーネス５１及び第２ハーネス５２が比較的自由に動き回る。この動きによって第１ハーネス５１及び第２ハーネスが擦れ合ったり、或いは第１ハーネス５１及び第２ハーネス５２が壁部Ｗと擦れ合ったりして、第１ハーネス５１及び第２ハーネス５２の外被が傷つく恐れがある。
【００６７】
また、例えば図１２に破線で示すように、第１ハーネス５１及び第２ハーネス５２が通路Ｐの角に寄るなどして、第１ハーネス５１及び第２ハーネス５２がそれぞれ他方の外被の表面と壁部Ｗとで挟み込まれる恐れもある。このような挟み込みが生じると、外被に深い傷が付いたり、最悪の場合には第１ハーネス５１及び第２ハーネス５２が断線したりする恐れもある。
【００６８】
第２ハーネス５２は、通路Ｐからヒンジ４ａの取り付け位置Ａ側に通り抜けた位置で第１開口部ＡＰ１に向けて屈曲している。そのため、第２ハーネス５２は、第１筺体２０の回動に伴い、図１２に示す第４方向Ｄ４（第１開口部ＡＰ１に向かう方向）に強い力で引っ張られ得る。第２ハーネス５２が第１ハーネス５１を巻き込んで第４方向Ｄ４に向けて引っ張られると、通路Ｐの角部Ｃにおいて第１ハーネス５１及び第２ハーネス５２の挟み込みが生じ得る。なお、角部Ｃは、ガイドリブ７２が設けられている場合にガイドリブ７２により塞がれる位置である。
【００６９】
一方、図１３に示すようにガイドリブ７２が設けられている場合には、第１ハーネス５１及び第２ハーネス５２の動きがガイドリブ７２によって規制される。具体的には、第１面Ｆ１及び壁部Ｗ（カバー２５の底面２５ａ）が、第１方向Ｄ１及びその反対方向への第１ハーネス５１の動きを規制する。また、第２ハーネス５２の外被の表面及び壁部Ｗが、第２方向Ｄ２及びその反対方向への第１ハーネス５１の動きを規制する。さらに、第２面Ｆ２、第１ハーネス５１の外被の表面、及び壁部Ｗ（第１係合部６４の側面）が、第２方向Ｄ２及びその反対方向への第２ハーネス５２の動きを規制する。
【００７０】
このように、ガイドリブ７２が設けられている場合には、第１ハーネス５１及び第２ハーネス５２の動きが規制されるので、これらハーネスの可動域が狭まる。これにより、第１ハーネス５１及び第２ハーネス５２の擦れや挟み込みの発生が防止ないしは低減され、第１ハーネス５１及び第２ハーネス５２の外被の損傷や断線を防ぐことができる。
【００７１】
また、ガイドリブ７２が上述した通路Ｐの角部Ｃに設けられているために、この角部Ｃにおける挟み込みを防止することができる。
【００７２】
また、第１ハーネス５１及び第２ハーネス５２の動きが規制されるために、インシュレータＩが剥がれにくい。他の観点から言えば、インシュレータＩが剥がれたとしても、本実施形態に係るハーネスガイド１００により第１ハーネス５１及び第２ハーネス５２の動きを規制することができる。
【００７３】
近年、ノートブック型のポータブルコンピュータなどの電子機器は、筐体の薄型化が進むとともに、表示装置を囲う額縁の幅も狭くなっている。また、表示装置にタッチパネル機能が搭載される場合には信号線の数が増え、表示装置から延びるハーネスの線径が太くなる。したがって、複数のハーネスを別々にガイドする構造を筐体内に設けることが難しい。これに対し、本実施形態に係るハーネスガイド１００は、ガイドリブ７２に加えて第１ハーネス５１及び第２ハーネス５２の外被の表面を利用してこれらハーネス５１，５２をガイドする。このような構成のハーネスガイド１００は、内部のスペースが狭い筐体に対しても適用が容易である。
【００７４】
また、ガイドリブ７２の第１側面７３ａ（第２面Ｆ２）と第２側面７４ａの接続部分は、円弧状に滑らかに接続されている。したがって、この接続部分に接触しながらハーネス（例えば第２ハーネス５２）が動いたとしても、当該ハーネスの外被が傷つきにくい。また、第１面Ｆ１は円弧状に面取りされているため、第１面Ｆ１に接触しながらハーネス（例えば第１ハーネス５１）が動いたとしても、当該ハーネスの外被が傷つきにくい。
【００７５】
また、ガイドリブ７２は、壁リブ７０と一体的に形成されている。したがって、ガイドリブ７２に第１ハーネス５１及び第２ハーネス５２から強い力が加わったとしても、ガイドリブ７２及び壁リブ７０の双方でこの力を受けることができるので、ガイドリブ７２が壊れにくい。
【００７６】
また、例えば図８から判るように、ガイドリブ７２及び第１ハーネス５１により第２ハーネス５２を第１係合部６４側に寄せることで、通路Ｐから第１開口部ＡＰ１に向かう第２ハーネス５２の屈曲を緩やかにすることができる。さらに、ガイドリブ７２及び第２ハーネス５２により第１ハーネス５１を第１係合部６５側に寄せることで、通路Ｐから周壁２５ｄに向かう第１ハーネス５１の屈曲を緩やかにすることができる。このように屈曲を緩やかにすることで、第１ハーネス５１及び第２ハーネス５２の動きに伴う損傷を和らげることができる。  
以上説明した他にも、本実施形態にて開示した構成からは種々の好適な作用が得られる。
【００７７】
なお、本実施形態にて開示した構成は、適宜変形することができる。  
例えば、本実施形態では電子機器１の一例としてノートブック型のポータブルコンピュータを開示した。しかしながら、ハーネスガイド１００の構成は、例えばポータブルメディアプレーヤー、携帯電話装置、ゲーム機、電子辞書、テレビジョン受像機、スレート型ポータブルコンピュータ（スレートＰＣ、タブレット）など種々の電子機器に広く適用可能である。これらの電子機器は、必ずしもヒンジなどにより複数の筐体が回動可能に接続されたものである必要はなく、複数の筐体がスライド可能に接続されたものや着脱可能に接続されたものであってもよい。
【００７８】
また、ハーネスガイド１００の構成は、筐体を１つのみ備える電子機器にも適用可能である。また、ハーネスガイド１００の構成は、電子機器に設けること以外の態様により実施することもできる。例えば、ハーネスガイド１００は、複数のハーネスをガイドするために、車両、船舶、航空機、昇降機、或いは何らかの構造物などに設けられてもよい。
【００７９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８０】
１…電子機器、２…第１ユニット、３…第２ユニット、４ａ，４ｂ…ヒンジ、２０…第１筐体、２１…表示装置、２５…カバー、２６…マスク、３０…第２筐体、３１…回路基板、４０ａ，４０ｂ…ヒンジカバー、５１〜５５…第１〜第５ハーネス、７０…壁リブ、７１…爪部、７２…ガイドリブ、７３…第１部分、７４…第２部分、１００…ハーネスガイド、Ｄ１…第１方向、Ｄ２…第２方向、Ｄ３…第３方向、Ｆ１…ガイドリブの第１面、Ｆ２…ガイドリブの第２面、Ｐ…通路、Ｗ…壁部
【図１】
2015222480.tif 000003
【図２】
2015222480.tif 000004
【図３】
2015222480.tif 000005
【図４】
2015222480.tif 000006
【図５】
2015222480.tif 000007
【図６】
2015222480.tif 000008
【図７】
2015222480.tif 000009
【図８】
2015222480.tif 000010
【図９】
2015222480.tif 000011
【図１０】
2015222480.tif 000012
【図１１】
2015222480.tif 000013
【図１２】
2015222480.tif 000014
【図１３】
2015222480.tif 000015